(57)【特許請求の範囲】
【請求項１】
画像形成装置における画像形成処理で用いられる第１パラメータ群が記述された第１設定ファイルであって、当該第１設定ファイルに対応する前記画像形成処理について予め定義された前記第１パラメータが記述された第２設定ファイルを複製して編集された第１設定ファイルを取得する第１取得手段と、
前記第１取得手段で取得された前記第１設定ファイルに対応する前記画像形成処理において設定可能な各第１パラメータの設定情報を取得する第２取得手段と、
前記第１取得手段が取得した前記第１設定ファイルにおける前記各第１パラメータが適正か否かを、前記第２取得手段が取得した前記設定情報に基づいて判断する判断手段と、
前記判断手段によって適正でないと判断された前記第１設定ファイルの前記第１パラメータの訂正指示を受付け、当該訂正指示に基づいて前記第１パラメータを訂正する訂正手段と、
前記判断手段によって判断された判断結果に応じた表示画面を表示手段に表示させる表示制御手段と、
前記第１設定ファイルと前記第２設定ファイルの対応関係を示す対応情報に基づいて、前記第１設定ファイルと対応する前記第２設定ファイルを取得する第３取得手段とを備え、
前記判断手段は、前記訂正手段で訂正された前記第１パラメータが適正か否かを前記設定情報に基づいて判断し、
前記表示制御手段は、前記判断手段によって前記第１設定ファイルの前記各第１パラメータが適正でないと判断された場合、少なくとも適正でないと判断された前記第１パラメータについて適正でないことを示す表示態様で前記表示画面に表示させ、当該第１設定ファイルの前記第１パラメータと共に前記第３取得手段が取得した前記第２設定ファイルの前記第１パラメータを前記表示画面に表示する制御を行うことを特徴とする表示制御装置。
【請求項２】
前記表示制御手段は、前記第１パラメータを表示させると共に前記訂正指示を受付ける前記表示画面を表示させ、
前記訂正手段は、前記判断手段によって適正でないと判断された前記第１設定ファイルの前記第１パラメータを予め定められた値に変更することを指示する訂正指示、又は、ユーザが設定した値に訂正するユーザ訂正を当該第１パラメータについて行う訂正指示を受付け、受付けた前記訂正指示に基づいて当該第１パラメータを訂正し、
前記第１設定ファイル及び前記第２設定ファイルには、前記第１パラメータ群と前記表示画面に表示されない第２パラメータ群とが記述されており、
前記判断手段は、前記第１設定ファイルと前記第２設定ファイルにおける各第２パラメータとを照合し、前記第２設定ファイルと前記第１設定ファイルにおける前記第２パラメータが共通する場合には、前記第１設定ファイルの前記第１パラメータの適正について判断し、
前記表示制御手段は、前記判断手段による前記第２パラメータと前記第１パラメータについて判断した判断結果に応じた前記表示画面を前記表示手段に表示させ、
前記判断手段によって前記第２設定ファイルの前記第２パラメータと共通すると判断されると共に、前記第１パラメータが適正であると判断された前記第１設定ファイルを前記画像形成装置に送出する送出手段を備えることを特徴とする請求項１に記載の表示制御装置。
【請求項３】
コンピュータを、
画像形成装置における画像形成処理において用いられる第１パラメータ群が記述された第１設定ファイルであって、当該第１設定ファイルに対応する前記画像形成処理について予め定義された前記第１パラメータが記述された第２設定ファイルを複製して編集された第１設定ファイルを取得する第１取得手段と、
前記第１取得手段で取得された前記第１設定ファイルに対応する前記画像形成処理において設定可能な各第１パラメータの設定情報を取得する第２取得手段と、
前記第１取得手段が取得した前記第１設定ファイルにおける前記各第１パラメータが適正か否かを、前記第２取得手段が取得した前記設定情報に基づいて判断する判断手段と、
前記判断手段によって適正でないと判断された前記第１設定ファイルの前記第１パラメータの訂正指示を受付け、当該訂正指示に基づいて前記第１パラメータを訂正する訂正手段と、
前記判断手段によって判断された判断結果に応じた表示画面を表示手段に表示させる表示制御手段と、
前記第１設定ファイルと前記第２設定ファイルの対応関係を示す対応情報に基づいて、前記第１設定ファイルと対応する前記第２設定ファイルを取得する第３取得手段として機能させ、
前記判断手段は、前記訂正手段で訂正された前記第１パラメータが適正か否かを前記設定情報に基づいて判断し、
前記表示制御手段は、前記判断手段によって前記第１設定ファイルの前記各第１パラメータが適正でないと判断された場合、少なくとも適正でないと判断された前記第１パラメータについて適正でないことを示す表示態様で前記表示画面に表示させ、当該第１設定ファイルの前記第１パラメータと共に前記第３取得手段が取得した前記第２設定ファイルの前記第１パラメータを前記表示画面に表示させることを特徴とするプログラム。
【発明の詳細な説明】
【技術分野】
【０００１】
本発明は、表示制御装置及びプログラムに関する。
【背景技術】
【０００２】
画像形成装置における印刷の設定に必要な複数の項目（ページレイアウト、給紙カセットの指定等）について、各項目の設定値を変更するための表示画面をＰＣ（Personal Computer）に表示させ、操作者によって設定された各項目の設定値に基づいて印刷処理を行う技術が下記特許文献１に開示されている。
【先行技術文献】
【特許文献】
【０００３】
【特許文献１】特開２００８-８３９５９号公報
【発明の概要】
【発明が解決しようとする課題】
【０００４】
本発明は、画像形成装置の画像形成処理に用いられる各パラメータに誤った設定値が設定されないようにすることを目的とする。
【課題を解決するための手段】
【０００５】
本発明の請求項１に係る表示制御装置は、画像形成装置における画像形成処理で用いられる第１パラメータ群が記述された第１設定ファイルであって、当該第１設定ファイルに対応する前記画像形成処理について予め定義された前記第１パラメータが記述された第２設定ファイルを複製して編集された第１設定ファイルを取得する第１取得手段と、前記第１取得手段で取得された前記第１設定ファイルに対応する前記画像形成処理において設定可能な各第１パラメータの設定情報を取得する第２取得手段と、前記第１取得手段が取得した前記第１設定ファイルにおける前記各第１パラメータが適正か否かを、前記第２取得手段が取得した前記設定情報に基づいて判断する判断手段と、前記判断手段によって適正でないと判断された前記第１設定ファイルの前記第１パラメータの訂正指示を受付け、当該訂正指示に基づいて前記第１パラメータを訂正する訂正手段と、前記判断手段によって判断された判断結果に応じた表示画面を表示手段に表示させる表示制御手段と、前記第１設定ファイルと前記第２設定ファイルの対応関係を示す対応情報に基づいて、前記第１設定ファイルと対応する前記第２設定ファイルを取得する第３取得手段とを備え、前記判断手段は、前記訂正手段で訂正された前記第１パラメータが適正か否かを前記設定情報に基づいて判断し、前記表示制御手段は、前記判断手段によって前記第１設定ファイルの前記各第１パラメータが適正でないと判断された場合、少なくとも適正でないと判断された前記第１パラメータについて適正でないことを示す表示態様で前記表示画面に表示させ、当該第１設定ファイルの前記第１パラメータと共に前記第３取得手段が取得した前記第２設定ファイルの前記第１パラメータを前記表示画面に表示する制御を行うことを特徴とする。
【０００８】
本発明の請求項２に係る表示制御装置は、上記表示制御装置において、前記表示制御手段は、前記第１パラメータを表示させると共に前記訂正指示を受付ける前記表示画面を表示させ、前記訂正手段は、前記判断手段によって適正でないと判断された前記第１設定ファイルの前記第１パラメータを予め定められた値に変更することを指示する訂正指示、又は、ユーザが設定した値に訂正するユーザ訂正を当該第１パラメータについて行う訂正指示を受付け、受付けた前記訂正指示に基づいて当該第１パラメータを訂正し、前記第１設定ファイル及び前記第２設定ファイルには、前記第１パラメータ群と前記表示画面に表示されない第２パラメータ群とが記述されており、前記判断手段は、前記第１設定ファイルと前記第２設定ファイルにおける各第２パラメータとを照合し、前記第２設定ファイルと前記第１設定ファイルにおける前記第２パラメータが共通する場合には、前記第１設定ファイルの前記第１パラメータの適正について判断し、前記表示制御手段は、前記判断手段による前記第２パラメータと前記第１パラメータについて判断した判断結果に応じた前記表示画面を前記表示手段に表示させ、前記判断手段によって前記第２設定ファイルの前記第２パラメータと共通すると判断されると共に、前記第１パラメータが適正であると判断された前記第１設定ファイルを前記画像形成装置に送出する送出手段を備えることを特徴とする。
【０００９】
本発明の請求項３に係るプログラムは、コンピュータを、画像形成装置における画像形成処理において用いられる第１パラメータ群が記述された第１設定ファイルであって、当該第１設定ファイルに対応する前記画像形成処理について予め定義された前記第１パラメータが記述された第２設定ファイルを複製して編集された第１設定ファイルを取得する第１取得手段と、前記第１取得手段で取得された前記第１設定ファイルに対応する前記画像形成処理において設定可能な各第１パラメータの設定情報を取得する第２取得手段と、前記第１取得手段が取得した前記第１設定ファイルにおける前記各第１パラメータが適正か否かを、前記第２取得手段が取得した前記設定情報に基づいて判断する判断手段と、前記判断手段によって適正でないと判断された前記第１設定ファイルの前記第１パラメータの訂正指示を受付け、当該訂正指示に基づいて前記第１パラメータを訂正する訂正手段と、前記判断手段によって判断された判断結果に応じた表示画面を表示手段に表示させる表示制御手段と、前記第１設定ファイルと前記第２設定ファイルの対応関係を示す対応情報に基づいて、前記第１設定ファイルと対応する前記第２設定ファイルを取得する第３取得手段として機能させ、前記判断手段は、前記訂正手段で訂正された前記第１パラメータが適正か否かを前記設定情報に基づいて判断し、前記表示制御手段は、前記判断手段によって前記第１設定ファイルの前記各第１パラメータが適正でないと判断された場合、少なくとも適正でないと判断された前記第１パラメータについて適正でないことを示す表示態様で前記表示画面に表示させ、当該第１設定ファイルの前記第１パラメータと共に前記第３取得手段が取得した前記第２設定ファイルの前記第１パラメータを前記表示画面に表示させることを特徴とする。
【発明の効果】
【００１０】
請求項１、３に係る発明によれば、画像形成装置の画像形成処理に用いられる各パラメータに誤った設定値が設定されないようにすることができる。また、請求項１に係る発明によれば、第１設定ファイルの第１パラメータのうち適正でないパラメータを視認することができる。また、請求項１に係る発明によれば、パラメータを編集する前の複製元の第１パラメータと編集後の第１パラメータとを確認することができる。
【００１３】
請求項２に係る発明によれば、適正な第１パラメータと第２パラメータとが設定された設定ファイルを画像形成装置に送出することができる。
【図面の簡単な説明】
【００１４】
【図１】実施形態に係る画像形成システムの構成例を示す図である。
【図２】実施形態に係る画像形成装置の構成を表わすブロック図である。
【図３】実施形態に係るＰＣの構成を表わすブロック図である。
【図４】実施形態における設定情報の構成及びデータの一例を示した図である。
【図５】実施形態における設定ファイルを例示した図である。
【図６】実施形態に係る制御部の機能構成を示す図である。
【図７】実施形態に係るＰＣの動作例を示す図である。
【図８】実施形態に係るＰＣの表示画面例を示す図である。
【図９】実施形態に係るＰＣの補助画面の例を示す図である。
【図１０】変形例（１）に係る設定ファイル読み込み処理を示す動作フローである。
【図１１】変形例（２）に係る第２パラメータの照合処理を示す動作フローである。
【図１２】（ａ）は、変形例（３）に係る補助画面の例を示す図である。（ｂ）は、変形例（３）に係る一覧画面の例を示す図である。
【発明を実施するための形態】
【００１５】
以下、図面を参照して本発明の実施形態に係る表示制御装置について説明する。
＜実施形態＞
図１は、本発明の実施形態に係る表示制御装置を含む画像形成システムの構成例を示している。図１に示すように、画像形成システム１は、画像形成装置１０と表示制御装置の一例であるＰＣ２０とを含む。画像形成装置１０とＰＣ２０とは有線又は無線により接続されている。画像形成装置１０は画像形成処理を行う。本実施形態における画像形成処理は、画像形成に関する処理であり、例えば、用紙等に画像を形成する処理と、画像が形成された用紙等を二つに折る二つ折り等の折処理、用紙を綴じるステープル処理等の後処理とを含む。画像形成装置１０の操作パネルとしてＰＣ２０が用いられる。各画像形成処理には、当該画像形成処理を行うための各種パラメータがデフォルトで定義されている。本実施形態では、画像形成装置１０の各種パラメータを設定するための操作パネルとしてＰＣ２０が用いられるが、画像形成装置１０にも各種パラメータを設定するための操作パネルが設けられている。
本実施形態では、画像形成処理毎の各種パラメータが予め記述された設定ファイルがＰＣ２０に記憶されている。ＰＣ２０におけるパラメータ設定操作には、設定操作画面上で設定ファイルの第１パラメータを編集する操作と、操作画面を介さずに設定ファイルを開いてパラメータを直接編集する操作の操作方法がある。以下の説明においては、操作画面を介さずに設定ファイルを直接編集する操作によってパラメータが編集された設定ファイルを画像形成装置１０に読み込ませる際の制御処理について説明する。以下、画像形成装置１０とＰＣ２０の各構成について説明する。
【００１６】
（構成）
図２は、画像形成装置１０における画像形成処理の構成を表わすブロック図である。図２に示すように、画像形成装置１０は、制御部１１、画像形成処理部１２、操作部１３、表示部１４、及び通信部１５を有する。
【００１７】
制御部１１は、ＣＰＵ（Central Processing Unit）１１ａとＲＯＭ（Read Only Memory）及びＲＡＭ（Random Access Memory）を含むメモリ１１ｂを有する。ＣＰＵ１１ａは、ＲＯＭに記憶されている制御プログラムを実行することにより、制御部１１と接続されている各部を制御して画像形成処理を行う。具体的には、制御部１１は、ＰＣ２０に記憶されている各画像形成処理に対応する設定ファイルを読み込み、設定ファイルに基づいて画像形成処理を行う。
【００１８】
画像形成処理部１２は、例えば、帯電、露光、現像、転写、定着などの工程を経て画像を形成する電子写真方式で画像を形成する画像形成部と折処理やステープル処理等を行う後処理部とを有する。画像形成処理部１２は、制御部１１の制御の下、指定された設定ファイルに基づいて、指定された画像データに応じた各色の画像を用紙等に形成して出力し、画像を形成した用紙に折り処理等の後処理を施す。なお、画像形成処理部１２における記録方式は電子写真方式に限定されず、熱転写方式、インクジェット方式、ドットインパクト方式などであってもよい。
【００１９】
操作部１３は、各種画像形成処理を行うためのユーザインタフェースである。操作部１３には、用紙選択ボタン、部数を指定する数字キー、二つ折りやＺ折り等の折処理を指定するための操作ボタンなどが設けられている。操作部１３は、ユーザから受付けた操作を示す情報を制御部１１に送出する。
【００２０】
表示部１４は、ディスプレイを有し、制御部１１の制御の下、各画像形成処理におけるメニュー画面や第１パラメータの訂正受付画面などの各種画像を表示する。
【００２１】
通信部１５は、ＵＳＢ（Universal Serial Bus）、ＩｒＤＡ（Infrared Data Association）、Ｂｌｕｅｔｏｏｔｈ（登録商標）、イーサネット（登録商標）等の通信規格に準拠した通信インタフェースを有し、制御部１１の制御の下、有線又は無線により接続されたＰＣ２０と通信を確立してデータのやりとりを行う。
【００２２】
次に、ＰＣ２０の構成について説明する。図３は、本実施形態に係るＰＣ２０において表示及び訂正制御処理を行うための構成を表わす図である。図３に示すように、ＰＣ２０は、制御部２１、記憶部２２、表示部２３、操作部２４、及び通信部２５を有する。
【００２３】
制御部２１は、ＣＰＵ２１ａとＲＯＭ及びＲＡＭを含むメモリ２１ｂを有する。ＣＰＵ２１ａは、ＲＯＭに記憶されている制御プログラムを実行することにより、制御部２１と接続されている各部を制御して表示及び訂正制御処理を行う。なお、表示及び訂正制御処理の詳細については後述する。
【００２４】
記憶部２２は、例えばハードディスク等の記憶媒体で構成される。記憶部２２には、各画像形成処理の設定ファイルと、各画像形成処理において設定可能なパラメータの設定情報とが記憶されている。本実施形態におけるパラメータの種類は、第１パラメータと第２パラメータとがある。第１パラメータは、ＰＣ２０においてパラメータの設定用操作画面上でユーザが設定することができるパラメータである。第２パラメータは、設定操作画面上でユーザが設定することができないパラメータ、つまり、ユーザによる設定が許可されていないパラメータである。
【００２５】
ここで、設定情報及び設定ファイルの詳細について説明する。図４は、設定情報の構成及びデータの一例を示した図である。図４に示すように、設定情報２２０には、画像形成処理毎に設定可能なパラメータの制限値が記憶されており、このパラメータは、第１パラメータである。パラメータは、例えば、用紙のサイズ、用紙の質量、用紙一束の枚数、用紙の種類等である。この例において、例えば、処理２１の「三つ折りＢ４」は、画像が形成されたＢ４サイズの用紙を三つ折りにして出力する処理であり、パラメータ２の下限値として８５、上限値として９５が設定されている。従って、パラメータ２の設定値としては８５以上９５以内の範囲内の数値が有効な値となる。
【００２６】
図５は、設定ファイルを例示した図である。本実施形態では、設定用操作画面を介さずに設定ファイルのパラメータをユーザが変更する際、予め記憶されている設定ファイル（以下、第２設定ファイルと称する）を複製して別の設定ファイル（以下、第１設定ファイルと称する）を作成し、作成した設定ファイルのパラメータを編集する。図５（ａ）は、ＸＭＬ等で記載された第２設定ファイルの例示であり、図５（ｂ）は、図５（ａ）の第２設定ファイルを複製して編集された第１設定ファイルを例示している。図５（ａ）（ｂ）に示すように、各設定ファイルには、例えば、パラメータ１、パラメータ２等の第１パラメータの種別を＜＞内に記述し、＜＞で示されたタグで挟まれた要素がパラメータの値として記述されている。例えば、図５（ａ）（ｂ）の例では、パラメータ１として「Ｂ４」が各設定ファイルに記述されており、パラメータ２として「８７」と「９００」が各設定ファイルに記述されている。また、第２設定ファイル及び第１設定ファイルにおける＜ファイル情報＞のタグの要素として「Ａ１」と「Ａ１０１」が記述されている。このファイル情報は、設定ファイルのファイルを一意に識別する情報であり、第１設定ファイルのファイル情報は、第２設定ファイルのファイル情報「Ａ１」と数字「０１」とを組み合わせたファイル情報が設定される。なお、以下の説明において、第１設定ファイルと第２設定ファイルを特に区別しないときは単に設定ファイルと称する。
【００２７】
本実施形態では、ユーザが第２設定ファイルを複製して第１設定ファイルを生成したときに、第１設定ファイルと第２設定ファイルとの対応関係を示す対応情報として、第２設定ファイルのファイル情報を含むファイル情報が第１設定ファイルに記述され、コピー先とコピー元の設定ファイルの対応関係が認識できるように構成されている例を説明するが、このファイル情報は、ユーザ操作によって設定してもよい。また、第１設定ファイルの生成の際、第２設定ファイルのファイル名等、第２設定ファイルを識別できる情報を含むファイル名が対応情報として第１設定ファイルに設定されてもよい。なお、上記設定ファイルの例は、説明の便宜上、設定情報と対応するようにパラメータを表現したものであり、各画像形成処理のパラメータが定義された記述であればこの記述に限らない。なお、この設定ファイルでは図示していないが、設定ファイルには、対応する画像形成処理を識別する情報が含まれている。
【００２８】
図３に戻り、ＰＣ２０の構成の説明を続ける。表示部２３は、ディスプレイを有し、制御部２１の制御の下、設定ファイルを表示したり、画像形成装置１０に第１設定ファイルを読み込ませる際の表示画面等を表示する。操作部２４は、例えば、キーボードやマウス等の操作手段を有する。操作部２４は、ユーザ操作を示す操作情報を制御部２１に送出する。通信部２５は、イーサネット等の通信規格に準拠した通信インタフェースを有し、制御部２１の制御の下、通信インタフェースを介して接続された画像形成装置１０と通信を確立してデータのやりとりを行う。
【００２９】
次に、上記した制御部２１の表示及び訂正制御処理について説明する。図６は、制御部２１の表示及び訂正制御処理を行うためのブロック図を示している。図６に示すように、制御部２１は、第１取得部２１１、第２取得部２１２、判断部２１３、訂正部２１４、読み出し部２１５、第３取得部２１６、表示制御部２１７、及び送出部２１８を有する。
【００３０】
第１取得部２１１は、本発明に係る第１取得手段の一例である。第１取得部２１１は、操作部２４を介したユーザ操作に応じて記憶部２２から第１設定ファイルを取得する。第２取得部２１２は、本発明に係る第２取得手段の一例である。第２取得部２１２は、第１取得部２１１で取得された第１設定ファイルに対応する画像形成処理の設定情報を記憶部２２から取得する。判断部２１３は、本発明に係る判断手段の一例である。判断部２１３は、第２取得部２１２が取得した設定情報に基づいて、第１取得部２１１で取得された第１設定ファイルの第１パラメータが適正であるか否かを判断すると共に、訂正部２１４で訂正された第１パラメータが適正であるか否かを判断する。
【００３１】
訂正部２１４は、本発明に係る訂正手段の一例である。訂正部２１４は、操作部２４を介して、第２取得部２１２が取得した設定情報に基づいて第１設定ファイルの第１パラメータを予め定められた値に自動訂正する訂正指示を受付けた場合には、当該訂正指示に基づいて当該パラメータを訂正する処理を行う。また、訂正部２１４は、操作部２４を介して、第１設定ファイルの第１パラメータを他の値に変更する訂正指示を受付けた場合には、当該パラメータを訂正指示に基づいて訂正する処理を行う。
【００３２】
読み出し部２１５は、本発明に係る読み出し手段の一例である。読み出し部２１５は、第１取得部が取得した第１設定ファイルと対応する第２設定ファイルとの対応関係を示すファイル情報を第１設定ファイルから読み出す。第３取得部２１６は、本発明に係る第３取得手段の一例である。第３取得部２１６は、操作部２４を介したユーザ操作に応じて、読み出し部２１５が読み出した第１設定ファイルのファイル情報に基づいて第２設定ファイルを記憶部２２から取得する。
【００３３】
表示制御部２１７は、本発明に係る表示制御手段の一例である。表示制御部２１７は、判断部２１３で判断された第１パラメータの判断結果に応じた表示画面と、訂正部２１４で訂正された第１パラメータについて判断部２１３で判断された判断結果に応じた表示画面を表示部２３に表示させる。送出部２１８は、本発明に係る送出手段の一例である。送出部２１８は、判断部２１３において第１パラメータが適正であると判断された設定ファイルを通信部２５を介して画像形成装置１０に送出する。
【００３４】
（動作例）
次に、本実施形態に係る表示制御装置２０の動作例について説明する。図７は、表示制御装置２０の動作フローを示す図である。なお、本動作例では、第１設定ファイルを画像形成装置１０に読み込ませる場合について説明するが、第２設定ファイルを読み込ませる場合も第１設定ファイルの場合と共通の処理である。ＰＣ２０の制御部２１は、画像形成装置１０に第１設定ファイルを読み込ませるためのメニュー画面を表示部２３に表示し、第１設定ファイルを読み込ませるユーザ操作を受付けるまで待機する（ステップＳ１１：ＮＯ）。制御部２１は、操作部２４を介して指定された第１設定ファイルを読み込ませるユーザ操作を受付けると（ステップＳ１１：ＹＥＳ）、記憶部２２から指定された設定ファイルを取得する（ステップＳ１２）。制御部２１は、取得した第１設定ファイルに対応する画像形成処理の設定情報２２０を記憶部２２から取得する（ステップＳ１３）。制御部２１は、ステップＳ１３において取得した設定情報に基づいて、ステップＳ１１で取得した第１設定ファイルの第１パラメータが適正であるか否かを判断する（ステップＳ１４）。
【００３５】
例えば、図５（ｂ）に示す第１設定ファイルが読み込まれた場合において、当該第１設定ファイルに含まれる画像形成処理を示す情報が「処理２１」を示しているとき、図４に示す設定情報２２０における「処理２１：三つ折りＢ４」の設定情報に基づいて、当該第１設定ファイルの各第１パラメータが適正か否か判断される。即ち、本実施形態では、「処理２１：三つ折りＢ４」のパラメータ１〜ｎと対応する第１設定ファイルの各第１パラメータが、パラメータ１〜ｎが示す各制限値の範囲内である場合に当該第１パラメータが適正であると判断され、制限値の範囲を超えている場合に当該第１パラメータが適正でないと判断される。
【００３６】
制御部２１は、取得した第１設定ファイルの第１パラメータのうち一つでも適正でないと判断した場合（ステップＳ１５：ＮＯ）、第１パラメータが適正でない旨の表示画面として例えば図８の表示画面を表示部２３に表示する（ステップＳ１７）。図８に示すように、表示画面の表示領域２３１には、読み込まれた第１設定ファイルに対応する画像形成処理「処理２１」を示す画像２３１ａが表示され、表示領域２３２には、読み込まれた第１設定ファイルのファイル情報を示す画像２３２ａと当該第１設定ファイルの各第１パラメータを示す画像２３２ｂと補助画面ボタン２３３と自動訂正ボタン２３４とが表示される。また、第１パラメータのうち、適正でないと判断された第１パラメータについては、適正であると判断された他の第１パラメータと区別できるように表示態様を変えて表示される。この例では、適正でない第１パラメータを太線枠２３２ｃで強調して表示されている。
【００３７】
図７に戻り、説明を続ける。制御部２１は、操作部２４を介して、表示画面における自動訂正ボタン２３４を押下する訂正指示をユーザから受付けると（ステップＳ１８：ＹＥＳ）、ステップＳ１３で取得した設定情報に基づいて、適正でないと判断した第１パラメータを自動訂正する（ステップＳ１９）。本実施形態では、設定ファイルの第１パラメータが設定情報で定められた上限値を超えている場合には、当該第１パラメータの値を当該上限値に置き換え、当該第１パラメータが設定情報で定められた下限値より小さい場合には、当該第１パラメータを当該下限値に置き換える処理を行う。図８の例では、処理２１のパラメータ２の値が「９００」であり、図４の設定情報における処理２１のパラメータ２の制限値が「８５以上９５以内」と設定されているため、パラメータ２は「９５」に置き換えられる。
【００３８】
また、ステップＳ１８において、制御部２１は、操作部２４を介して、表示画面における補助画面ボタン２３３を押下する操作をユーザから受付けると（ステップＳ１８：ＮＯ，Ｓ２０：ＹＥＳ）、取得した第１設定ファイルのファイル情報に基づいて当該第１設定ファイルに対応する第２設定ファイルを記憶部２２から取得する（ステップＳ２１）。図８の例では、第１設定ファイルのファイル情報「Ａ１０１」の「Ａ１」をファイル情報として有する図５（ａ）に示す第２設定ファイルが取得される。
【００３９】
制御部２１は、取得した第２設定ファイルの第１パラメータと第１設定ファイルの第１パラメータとが表示された図９に例示する補助画面を表示部２３に表示する（ステップＳ２２）。図９に示すように、表示領域２３５には補助画面を示す画像が表示され、複製元である第２設定ファイル「Ａ１」の第１パラメータ群を示す画像２３６と、複製先である第１設定ファイル「Ａ１０１」の第１パラメータ群を示す画像２３７とが並べて表示される。この表示により、複製元の第２設定ファイルに設定されている第１パラメータをユーザに確認させ、適正な値となるように第１設定ファイルの第１パラメータを訂正させる。
【００４０】
図７に戻り、説明を続ける。制御部２１は、操作部２４を介して、第１設定ファイルの第１パラメータの値を訂正する訂正指示をユーザから受付けるまで待機し（ステップＳ２３：ＮＯ）、訂正指示を受付けたときに（ステップＳ２３：ＹＥＳ）、訂正指示に基づく値に当該第１パラメータの値を置き換え、当該第１パラメータの値が適正であるか否かをステップＳ１４に戻って判断する。また、ステップＳ２０において、制御部２１は、操作部２４を介して、補助画面ボタン２３３を押下する操作をユーザから受付けなかった場合には（ステップＳ２０：ＮＯ）、上記ステップＳ２３の処理を行う。
【００４１】
また、制御部２１は、ステップＳ１５において第１設定ファイルの各第１パラメータが適正であると判断した場合（ステップＳ１５：ＹＥＳ）、又は、ステップＳ１９において第１設定ファイルの第１パラメータを自動訂正した場合（ステップＳ１９）、当該第１設定ファイルを通信部２５を介して画像形成装置１０に送出する（ステップＳ１６）。
【００４２】
なお、上記動作例において第２設定ファイルを画像形成装置１０に読み込ませる場合において、補助画面ボタン２３３を押下する操作がなされたとき（ステップＳ２０）は、第２設定ファイルの複製元のファイルは記憶されていないため、補助画面を表示できない旨を表示してもよいし、当該第２設定ファイルに対応する第１設定ファイルの第１パラメータを表示するようにしてもよい。また、ステップＳ２２において補助画面を表示し、ステップＳ２３においてユーザによって訂正操作が行われた後、ステップＳ１４において第１パラメータが適正でないと判断された場合、ステップＳ２２の補助画面（複製元と訂正操作後の内容）を表示させてもよい。また、ステップＳ１９において自動訂正を行った後、確認のためにステップ１４において第1パラメータの適正の判断を行うようにしてもよい。
【００４３】
上述した実施形態では、ユーザがＰＣ２０を用いて編集した第１設定ファイルを画像形成装置１０に読み込ませる前に、当該第１設定ファイルの第１パラメータが予め定められた制限値内か否か判断されるため、制限値外の第１パラメータが画像形成装置１０に誤って読み込まれることがない。また、適正でない第１パラメータの訂正処理として、予め定められた値に自動訂正する処理、又はユーザが設定した値に訂正する処理のいずれか一方の処理がユーザの選択によって行われる。
【００４４】
＜変形例＞
以下、本発明の変形例について説明する。
【００４５】
（１）上述した実施形態では、第１設定ファイルを読み込むファイル数が１つの例を説明したが、指定された複数の第１設定ファイルを読み込むように構成してもよい。この場合において、一括して読み込み可能な第１設定ファイルの数を制限するように構成してもよいし、指定された第１設定ファイルの全部を読み込むようにしてもよい。
指定された全部の第１設定ファイルを読み込む場合、例えば、予め決められた数単位に第１設定ファイルを分割して順次読み込む第１モードと、設定されているファイル数の閾値を変更して第１設定ファイルの全部を読み込む第２モードのいずれか一方をＰＣ２０に設定するように構成する。具体的には、ＰＣ２０において、第１モードを０、第２モードを１とするフラグを記憶部２２において設定し、フラグに応じたモードの処理を行う。なお、第１モードと第２モードの各設定操作はユーザが行えるように構成されていてもよい。また、読み込む設定ファイルは第１設定ファイルと第２設定ファイルが混在していてもよい。
【００４６】
図１０は、本変形例における第１設定ファイルの読み込み処理を示す動作フローを示している。制御部２１は、操作部２４を介して第１設定ファイルを読み込ませるユーザ操作を受付けるまで待機し（ステップＳ１１：ＮＯ）、第１設定ファイルを読み込ませるユーザ操作を操作部２４を介して受付けると（ステップＳ１１：ＹＥＳ）、指定された第１設定ファイルのファイル数が予め定められた閾値以上であるか否か判断する（ステップＳ１１０）。
【００４７】
制御部２１は、ファイル数が閾値以上であると判断した場合において（ステップＳ１１０：ＹＥＳ）、記憶部２２に記憶されているフラグが０、即ち第１モードであるとき（ステップＳ１１１：ＹＥＳ）、予め定められた数単位に、指定された複数の第１設定ファイルを記憶部２２から取得する（ステップＳ１１２）。
【００４８】
また、ステップＳ１１１において、制御部２１は、記憶部２２に記憶されているフラグが１、即ち第２モードであるとき（ステップＳ１１１：ＮＯ）、指定された全部の第１設定ファイルを記憶部２２から取得する。ステップＳ１１０において、第１設定ファイルのファイル数が閾値より小さい場合には（ステップＳ１１０：ＮＯ）、制御部２１は、ステップＳ１１３の処理、即ち、指定された第１設定ファイルを記憶部２２から取得する。
【００４９】
（２）上述した実施形態では、複製・編集された第１設定ファイルの第１パラメータが適正か否かを判断する例について説明したが、ＰＣ２０を用いて第１パラメータが編集されるときに、第２パラメータが誤って編集される場合があるため、第２パラメータが適正か否かを判断するように構成してもよい。この場合の動作フローを図１１に示す。ＰＣ２０の制御部２１は、操作部２４を介して第１設定ファイルを読み込ませるユーザ操作を受付けるまで待機し（ステップＳ１１：ＮＯ）、第１設定ファイルを読み込ませるユーザ操作を操作部２４を介して受付けると（ステップＳ１１：ＹＥＳ）、指定された第１設定ファイルを記憶部２２から取得する（ステップＳ１２０）。
【００５０】
制御部２１は、取得した第１設定ファイルのファイル情報を参照し、当該第１設定ファイルに対応する第２設定ファイルを記憶部２２から取得する（ステップＳ１２１）。そして、制御部２１は、取得した第１設定ファイルと第２設定ファイルの各第２パラメータを照合し（ステップＳ１２２）、第１設定ファイルと第２設定ファイルの各第２パラメータが共通していない場合には（ステップＳ１２３：ＹＥＳ）、その照合結果を表示部２３に表示する（ステップＳ１２４）。
【００５１】
制御部２１は、操作部２４を介して、第２設定ファイルと共通しなかった第１設定ファイルにおける第２パラメータについて自動訂正する指示操作をユーザから受付けた場合には（ステップＳ１２５：ＹＥＳ）、当該第２パラメータを当該第２設定ファイルの第２パラメータに置き換える訂正処理を行う（ステップＳ１２６）。また、ステップＳ１２５において、制御部２１は、自動訂正しない指示操作を受付けた場合には（ステップＳ１２５：ＮＯ）、当該第１設定ファイルを破棄することを指示する画像を表示部２３に表示する（ステップＳ１２７）。
【００５２】
制御部２１は、ステップＳ１２３において第１設定ファイルと第２設定ファイルの各第２パラメータが共通する場合（ステップＳ１２３：ＮＯ）、又はステップＳ１２６の処理後、上述した図７のステップＳ１３に移行し、第１設定ファイルにおける第１パラメータの適正について判断する処理を行う。
【００５３】
（３）上述した実施形態において、補助画面を表示部２３に表示した際に、補助画面に表示させた第２設定ファイルを複製元とする第１設定ファイルの一覧を表示部２３に表示してもよい。この場合の表示画面の例を図１２に示す。図１２（ａ）に示すように、補助画面と共に履歴ボタン２３９を表示するように構成する。そして、例えば、操作部２４を介してパラメータ２を選択する操作をユーザから受付けると共に、履歴ボタン２３９を押下する操作をユーザから受付けると、制御部２１は、図１２（ｂ）に示すように、表示領域２３９ａにおいて、補助画面に表示された第２設定ファイルのパラメータ２を表示する。また、制御部２１は、当該第２設定ファイルを複製元とする第１設定ファイルのパラメータ２を記憶部２２から読み出し、各第１設定ファイルを示すファイル情報及びパラメータ２を表示領域２３９ｂに表示する。
【００５４】
（４）上述した実施形態及び変形例では、第１設定ファイルの第１パラメータ及び第２パラメータが適正か否かを判断した結果や訂正指示を受付ける表示画面をＰＣ２０の表示部２３に表示させる例であったが、画像形成装置１０の表示部１４に当該表示画面を表示するようにしてもよいし、ＰＣ２０と接続された他の外部装置の表示手段に当該表示画面を表示するようにしてもよい。また、ＰＣ２０と接続された他の外部装置の操作手段で受付けられた第１パラメータの訂正指示をＰＣ２０において取得し、当該訂正指示に基づいて第１パラメータの訂正処理を行うようにしてもよい。また、ＰＣ２０（表示制御装置）の機能が画像形成装置１０に含まれていてもよい。
【００５５】
（５）上述した実施形態及び変形例では、設定情報、第１設定ファイル、及び第２設定ファイルはＰＣ２０の記憶部２２に記憶されている例を説明したが、設定情報、第１設定ファイル、及び第２設定ファイルの全部又はいずれかのファイルがＰＣ２０と接続された外部装置の記憶手段に記憶されていてもよい。
【００５６】
（６）上述した実施形態では、第１設定ファイルの第１パラメータが適正でない場合に、適正であると判断された第１パラメータと適正でないと判断された第１パラメータとを区別しうる態様で表示画面に表示させる例を説明したが、適性であると判断された第１パラメータを表示せず、適正でないと判断された第１パラメータを適正でないことを示す態様で表示画面に少なくとも表示させるよう構成してもよい。
【００５７】
（７）実施形態におけるＣＰＵ２１ａによって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いてＰＣ２０にダウンロードさせてもよい。
【符号の説明】
【００５８】
１・・・画像形成システム、１０・・・画像形成装置、１１，２１・・・制御部、１１ａ，２１ａ・・・ＣＰＵ、１１ｂ，２１ｂ・・・メモリ、１２・・・画像形成部、１３，２４・・・操作部、１４，２３・・・表示部、１５，２５・・・通信部、２０・・・ＰＣ、２１１・・・第１取得部、２１２・・・第２取得部、２１３・・・判断部、２１４・・・訂正部、２１５・・・読み出し部、２１６・・・第３取得部、２１７・・・表示制御部、２１８・・・送出部
【図１】
0005776262.tif 000002
【図２】
0005776262.tif 000003
【図３】
0005776262.tif 000004
【図４】
0005776262.tif 000005
【図５】
0005776262.tif 000006
【図６】
0005776262.tif 000007
【図７】
0005776262.tif 000008
【図８】
0005776262.tif 000009
【図９】
0005776262.tif 000010
【図１０】
0005776262.tif 000011
【図１１】
0005776262.tif 000012
【図１２】
0005776262.tif 000013